(57)【要約】【課題】床材を根太材上に敷き並べた状態での床材の根太材への固定作業が容易で作業性に優れた床材の敷設構造を提供する。【解決手段】床材固定金具2aを、床材固定部22が根太材3の長手方向に張り出した状態で脚部21に設けた根太材係合部25を根太材3の床材受面31に穿設された床材固定金具用係合孔33に、根太材3の長手方向にスライド不可状態に係合させるとともに、側面に凹部11を有する床材1を、床材固定金具2aを両側から挟むように配置し、床材固定金具2aの床材固定部22を凹部11内に入り込ませて、床材固定部22の弾性力によって凹部11より下側の床材縁部を床材固定部22と根太材3の床材受面31との間で挟着固定するようにした。【選択図】      図１
2010126960.tif 000002
【特許請求の範囲】
【請求項１】
複数の根太材が平行に配置され、複数の床材がこれら根太材上にそれぞれ掛け渡された状態で敷き並べられるとともに、各床材が床材固定金具を介して根太材に固定されている床材の敷設構造であって、
前記床材固定金具が、根太材係合部を有する脚部と、脚部上端から両側に張り出す床材固定部とを備え、
前記床材固定部が根太材の長手方向に張り出した状態で前記根太材係合部が前記根太材の床材受面に穿設された床材固定金具用係合孔に、根太材の長手方向にスライド不可状態に係合されているとともに、
側面に凹部を有する２つの床材が、前記床材固定金具を両側から挟むように配置されるとともに、床材固定金具の床材固定部が前記凹部内に入り込み、床材固定部の弾性力によって前記凹部より下側の床材縁部が床材固定部と根太材の床材受面との間で挟着固定されていることを特徴とする床材の敷設構造。
【請求項２】
床材固定金具が、脚部に平行に補強リブを床材固定部の下面側に備えている請求項１に記載の床材の敷設構造。
【発明の詳細な説明】
【技術分野】
【０００１】
本発明は、デッキ材等の床材の敷設構造に関する。
【背景技術】
【０００２】
従来、バルコニー等は、床面が平行に間隔を隔てて配置された根太材にデッキ材と称される床材を根太材に直交する姿勢で敷き並べるとともに、このデッキ材をビスによって根太材に固定することによって構築されていた。
しかし、ビスを多数締め付ける必要があるため、作業性が悪いものである。
【０００３】
一方、図９に示すような床材１００の敷設構造も提案されている（特許文献１参照）。すなわち、この床材１００の敷設構造は、まず、床材受面２１０の中央に長手方向に連続する開口溝２２０が形成されたＣ型チャンネル状の根太材２００を、床材受面２１０を上側にして設置する。
【０００４】
そして、係合溝１１０を側面に連続して設けられた床材１００を、この根太材２００の所定位置に載置したのち、係合溝１１０と略同じ厚みの板状をした床材係合部３１０及び根太材係合部３２０を平行に備えるとともに、開口溝２２０の溝幅と略同じ幅をした連結部３３０からなる床材固定金具３００を連結部３３０が開口溝２２０内に入り込むように根太材２００にセットし、床材１００の係合溝１１０に床材係合部３１０が嵌り込むとともに連結部３３０が床材１００の側面に当接するまで開口溝２２０に沿ってスライドさせたのち、図示していないが、この床材固定金具３００を挟むように隣接して床材１００を係合溝１１０に床材係合部３１０の連結部３３０を挟んだ反対側の部分が嵌り込むように根太材２００上に載置するという作業を繰り返し行うことによって床面を構築するようになっている。
【０００５】
しかし、上記図９に示すような床材の敷設構造では、床材の固定位置を規制し、敷設後のガタツキを防止するために専用の根太止金具（特許文献１の図５）が必要であるとともに、この根太止金具をビスで根太材に固定しなければならないため、まだ作業性の点で問題が残っている。
【０００６】
【特許文献１】特開２００２−１６１６３２号公報
【発明の開示】
【発明が解決しようとする課題】
【０００７】
本発明は、上記事情に鑑みて、床材を根太材上に敷き並べた状態での床材の根太材への固定作業が容易で作業性に優れた床材の敷設構造を提供することを目的としている。
【課題を解決するための手段】
【０００８】
上記目的を達成するために、本発明にかかる床材の敷設構造は、複数の根太材が平行に配置され、複数の床材がこれら根太材上にそれぞれ掛け渡された状態で敷き並べられるとともに、各床材が床材固定金具を介して根太材に固定されている床材の敷設構造であって、
前記床材固定金具が、根太材係合部を有する脚部と、脚部上端から両側に張り出す床材固定部とを備え、前記床材固定部が根太材の長手方向に張り出した状態で前記根太材係合部が前記根太材の床材受面に穿設された床材固定金具用係合孔に、根太材の長手方向にスライド不可状態に係合されているとともに、側面に凹部を有する２つの床材が、前記床材固定金具を両側から挟むように配置されるとともに、床材固定金具の床材固定部が前記凹部内に入り込み、床材固定部の弾性力によって前記凹部より下側の床材縁部が床材固定部と根太材の床材受面との間で挟着固定されていることを特徴としている。
【０００９】
本発明の敷設構造において、根太材の材質としては、特に限定されないが、亜鉛メッキ鋼、ステンレス鋼、アルミニウムなどの金属材料が挙げられる。
床材固定金具の材質としては、特に限定されないが、アルミニウム、ステンレス鋼などの金属材料や、エンジニアリングプラスチックが挙げられる。
また、床材固定金具が、脚部に平行に補強リブを床材固定部の下面側に備えている構成とすることが好ましい。
【発明の効果】
【００１０】
本発明にかかる床材の敷設構造は、以上のように、床材固定金具が、根太材係合部を有する脚部と、脚部上端から両側に張り出す床材固定部とを備え、前記床材固定部が根太材の長手方向に張り出した状態で前記根太材係合部が前記根太材の床材受面に穿設された床材固定金具用係合孔に、根太材の長手方向にスライド不可状態に係合されているとともに、側面に凹部を有する２つの床材が、前記床材固定金具を両側から挟むように配置されるとともに、床材固定金具の床材固定部が前記凹部内に入り込み、床材固定部の弾性力によって前記凹部より下側の床材縁部が床材固定部と根太材の床材受面との間で挟着固定されているので、床材固定金具の根太材係合部を根太材に設けた床材固定金具用係合孔に係合させておき、床材を側面に設けた凹部内に床材固定部が入り込むようにスライドさせながら根太材の床材受面に載置することによって床材固定部の弾性力で凹部より下側の床材縁部が根太材の床材受面側に押圧されて床材固定部と根太材の床材受面との間で挟着固定される。したがって、ビスで止めるなどの作業が不要となり施工性が向上する。
【００１１】
また、床材固定金具が、脚部に平行に補強リブを床材固定部の下面側に備えている構成とすれば、床材固定部を薄い板状材料で形成してもしっかりと挟着固定することができる。
【発明を実施するための最良の形態】
【００１２】
以下に、本発明を、その実施の形態をあらわす図面を参照しつつ詳しく説明する。
図１は、本発明にかかる床材の敷設構造の１つの実施の形態をあらわしている。
【００１３】
図１に示すように、この敷設構造Ａは、複数の床材１が平行に敷き並べられ、以下のようにして床材固定金具２ａを介して根太材３に固定されている。
詳述すると、床材１は、例えば、ポリエチレンに木粉が配合された樹脂組成物を押出成形することによって得られ、図１〜図４に示すように、幅方向の両側面に長手方向に連続する凹溝１１が設けられるとともに、凹溝１１を挟んで下側が上側より少し幅寸法が短くなっている。
【００１４】
根太材３は、図１〜図５に示すように、例えば、鉄鋼、ステンレス鋼、アルミニウムなどからなるアングルあるいはＣ型チャンネルからなり、床材受面３１に根太材３の長手方向に等間隔で床材固定金具用係合孔３２が複数穿設されている。
床材固定金具用係合孔３２は、長軸が床材受面３１の長手方向に直交する略矩形をした長孔になっている。
【００１５】
床材固定金具２ａは、鉄鋼やステンレス鋼製で、図１〜図６に示すように、床材固定金具用係合孔３２と略同じか少し小さい断面形状をした板状の脚部２１を備えている。
脚部２１の上端には、脚部２１を挟んで一方に第１床材固定部２２が他方に第２床材固定部２３が延設されている。
【００１６】
第１床材固定部２２は、脚部２１と同じ幅で脚部２１に直交するように設けられ、先端に断面略三角形の突条２２ａが下向きに突設されている。
第２床材固定部２３は、脚部２１と同じ幅で第１床材固定部２２と逆方向に延設され、先端に下側に凸となるように湾曲形成された湾曲部２３ａを有し、第１床材固定部２２の長さより長くなっている。
【００１７】
また、第２床材固定部２３は、その下面に補強リブ２４を脚部２１に平行に備えている。
補強リブ２４と、第２床材固定部２３の先端との距離は、第１床材固定部２２の先端から脚部２１までの距離と略同じになっている。
脚部２１の下端には、第２床材固定部２３側に鉤状に折れ曲がるように根太材係合部２５が設けられている。
【００１８】
そして、床材１は、以下の（１）〜（５）のようにして根太材３上に敷設されるようになっている。
（１）、図３に示すように、複数の根太材３を図示していないが柱材等の上に支持させた状態で所定のピッチで平行に配置する。
【００１９】
（２）図２に示すように、１枚の床材１を、その幅方向の一方の下端縁が床材固定金具用係合孔３２の開口縁に沿うとともに、図３に示すように、その長手方向が根太材３の長手方向に直交し、かつ、複数の根太材３に跨った状態で根太材３の床材受面３１上に載せる。
（３）図２に示すように、床材固定金具２ａの第１床材固定部２２を床材１方向に向け、第２床材固定部２３が第１床材固定部２２より下側になるように傾けた状態で根太材係合部２５をその先端から床材固定金具用係合孔３２に挿入したのち、図３及び図４に示すように、脚部２１が床材１の凹溝１１より下側の端縁に密着するように引き起こし、第１床材固定部２２を凹溝１１内に挿入し、第１床材固定部２２の弾性力によって第１床材固定部２２と根太材３の床材受面３１との間で床材１の凹溝１１より下側の端縁部１２を挟み込んで床材１の幅方向の一端を各根太材３に固定する。なお、この状態で床材固定金具２ａは、脚部２１が床材固定金具用係合孔３２と略同じか少し小さい断面形状をしているので根太材３の長手方向は元より幅方向にも殆ど移動することがないように保持される。
【００２０】
（４）図５に示すように、隣接して配置される床材１を斜めに傾けながら、凹溝１１内に第２床材固定部２３の先端部を臨ませ、凹溝１１より下側の端縁部１２が補強リブ２４に当接するまで床材固定金具２ａ側に床材１を押し込んだのち、図１に示すように床材１を根太材３の床材受面３１に載置する。この載置状態で床材１の床材固定金具２ａで固定されていない側の下端縁がつぎの床材固定金具用係合孔３２の開口縁に沿った状態となる。
（５）上記（３）及び（４）の作業を繰り返し、所定枚数の床材１を根太材３上に敷き並べたのち、必要に応じて両端部に配置される床材１の他の床材１と隣接していない側の端部は、建物躯体やバルコニーの柵などに固定されたカバー材等によって上側から抑えられるなどして固定されるようになっている。
【００２１】
この床材の敷設構造Ａは、上記のように、床材固定金具用係合孔３２に床材固定金具２ａの係合部２５を係合させるとともに、第１床材固定部２２と根太材３の床材受面３１との間に凹溝１１より下側の端縁部１２を挿入した状態にするだけで床材１を正確に固定できる。すなわち、床材１を根太材３に固定するのにビス等が不要で施工性に優れている。
また、第２床材固定部２３が補強リブ２４を備えているので、第２床材固定部△が十分な弾性力を得ることができるとともに、床材１，１間の間隔を正確に合わせることができる。
【００２２】
図７は、本発明の敷設構造に用いる床材固定金具の第２の態様をあらわしている。
図７に示すように、この床材固定金具２ｂは、根太材係合部２６が脚部２１の厚み方向両側に張り出す楔状をしている以外は、上記床材固定金具２ａと同様になっている。
【００２３】
図８は、本発明の敷設構造に用いる床材固定金具の第３の態様をあらわしている。
図８に示すように、この床材固定金具２ｃは、第２床材固定部２７の脚部２１から先端までの距離が第１床材固定部２２の脚部２１から先端までの距離と同じであって、補強リブ２４が設けられていない以外は、上記床材固定金具２ａと同様になっている。
【００２４】
本発明は、上記の実施の形態に限定されない。例えば、上記の実施の形態では、床材固定金具用係合孔が等ピッチに設けられていたが、等ピッチでなくても構わない。また、隣接する根太材を床材固定金具用係合孔の位置がずれるように配置しても構わない。
【図面の簡単な説明】
【００２５】
【図１】本発明にかかる床材の敷設構造の１つの実施の形態をあらわし、その床材が並べて敷設された状態の断面図である。
【図２】図１の床材の敷設構造の施工工程を説明する断面図である。
【図３】図２の施工工程の後工程を説明する斜視図である。
【図４】図３のＸ−Ｘ線断面図である。
【図５】図３及び図４の施工工程の後工程を説明する断面図である。
【図６】図１の床材の敷設構造に用いられる床材固定金具の斜視図である。
【図７】本発明にかかる床材の敷設構造に用いられる床材固定金具の他の例をあらわす正面図である。
【図８】本発明にかかる床材の敷設構造に用いられる床材固定金具の他の例をあらわす正面図である。
【図９】公知の床材の敷設構造を説明する斜視図である。
【符号の説明】
【００２６】
Ａ  床材の敷設構造
１  床材
１１  凹部
２ａ，２ｂ，２ｃ  床材固定金具
２１  脚部
２２  第１床材固定部
２３  第２床材固定部
２４  補強リブ
２５，２６  根太材係合部
３  根太材
３１  床材受面
３２  床材固定金具用係合孔
【図１】
2010126960.tif 000003
【図２】
2010126960.tif 000004
【図３】
2010126960.tif 000005
【図４】
2010126960.tif 000006
【図５】
2010126960.tif 000007
【図６】
2010126960.tif 000008
【図７】
2010126960.tif 000009
【図８】
2010126960.tif 000010
【図９】
2010126960.tif 000011